(57)【要約】【課題】四角形の底部を備えた箱体に上蓋を被せ使用する収納箱に内容物を収納し、上蓋をする際には一度被せた蓋が開かない様に留め金等を使用し、上蓋を留めるが、留め金の部品コストがかかってくる。それに伴ない収容物が多大になる場合は上蓋が浮き上がらない様に押し込む等が必要であった。【解決手段】四角形状の底部を備えた箱体に上蓋を被せる収納箱であって、前記上蓋は天面に接続された四つの側面を有し、一側面が開放された側面部からなり、前記一側面の端部辺は前記上蓋を前記箱体に嵌合させた時に、前記端部辺が前記対応した側面上を接圧しながら押圧され嵌着される事を特徴とする。前記側面部は接続された前記側面部が延出され、複数回折り畳みされている事を特徴とする。前記上蓋の天面には一部開口された空気孔を有し空気が通る事を特徴とする。【選択図】図３
2019151398.tif 000002
【特許請求の範囲】
【請求項１】
四角形状の底部を備えた箱体に上蓋を被せる収納箱であって、前記上蓋は天面に接続された四つの側面を有し、一側面が開放された側面部から成り前記一側面の端部辺は前記上蓋を前記箱体に嵌合させた時、前記端部辺が対応した前記側面上を接圧しながら押圧され嵌着される事を特徴とする収納箱。
【請求項２】
前記側面部は接続された前記側面部が延出され、複数回折り畳みされていることを特徴とした請求項１記載の収納箱。
【請求項３】
前記上蓋の天面には一部開口された空気孔を有し、前記上蓋を閉じた時に内部の空気を外部に逃がす事を特徴とする請求項１又は２記載の収納箱
【発明の詳細な説明】
【技術分野】
【０００１】本発明は四角形の底部を備えた箱体に上蓋を被せ使用する収納箱である。
【背景技術】
【０００２】特許文献では、所定の展開形状の板材を折り曲げて直方体の収納箱に付箋集合体を収納し、付箋を連続的に一枚ずつ取り出す技術が開示されている。
【先行技術文献】
【特許文献】
【０００３】
【特許文献１】実用新案登録  第３１０３３５０号  公報
【発明の概要】
【発明が解決しようとする課題】
【０００４】前述のような収納箱に内容物を収納し上蓋をする際には、一度被せた蓋が開かないように留め金等を使用し上蓋を留めるが、留め金の部品コストがかかってくる。それに伴ない収容物が多大になる場合は上蓋が浮き上がらない様に押え込む等が必要であった。
【課題を解決するための手段】
【０００５】本発明は四角形状の底部を備えた箱体に上蓋を被せる収納箱であって、上蓋は天面に接続された四つの側面を有し、一側面が開放された側面部から成り、一側面の端部辺は前記上蓋を箱体に嵌合させた時に、前記端部辺が対応した側面上を接圧しながら押圧され嵌着される。【０００６】そして側面部は接続された側面部が延出され複数回折り畳みされている。【０００７】またさらに上蓋の天面には一部開口された空気孔を有し空気が通り、上蓋が簡単に開閉出来る様になっている。
【発明の効果】
【０００８】上蓋を前記箱体に嵌合させた時に、上蓋の端部辺が前記対応した側面上を接圧しながら押圧され嵌着するので簡単に蓋が開かない。【０００９】そして前記上蓋の四つの側面が延出された延出部が複数回折り畳みされており、この様に畳まれた側面辺を有しているので、重複側面として強化されている。従ってこの様に上記箱体を被り上蓋の天面を堅固に保持している。【００１０】また前記上蓋の前記天面上に空気孔を設け、開口する事により、空気が通り、前記箱体と前記上蓋が嵌合する時に発せられた音が伝わるので開閉が確実に行える。
【図面の簡単な説明】
【００１１】
【図１】本発明の収納箱に係わる使用時の実施例を示す全体の展開図である。
【図２】実施例における付箋束を収納した説明図である。
【図３】実施例における上蓋が下降する時の説明図である。
【図４】実施例における上蓋の１つの側面より解放された端部辺２９が箱体の側面部３Ａの上端に接触している説明図である。
【発明を実施するための形態】
【実施例】
【００１２】以下本発明の実施例を図面を参照しながら説明する。【００１３】本発明の実施例は四角形状の箱体とその底の形状に対応した上蓋があり、上蓋の一部が箱体の側面に継っている糊代を備えている。箱と上蓋が一体型となっている箱に付箋束を収納する付箋箱である。【００１４】図１は本発明の収納箱に係わる実施例を示す収納箱の組み立て前の全体の
2019151398.tif 000003
外折れ線を介して外側に折る事の説明である。【００１５】図２は本発明の実施例における付箋束を収納した説明図であり、付箋収納箱は四角形状の箱体と箱体に継がる上蓋から形成されていて、同図は上蓋を開けた形状が示されている。
上蓋には空気孔２３が開口されていて、延出側面辺２８より延びた端部辺２９が示されている。【００１６】図３は本発明の実施例における上蓋が下降する時の説明図である。
付箋束を除いた箱体と前記上蓋の天面には一部開口された空気孔を有し、側面部２５Ａと延出側面辺２８が折り畳まれて接続された後、延出側面辺２８より延出された端部辺２９が延出側面辺２８と側面部２Ａの上端に被さり、側面辺２５の下端に向って内側に折られ解放されている所が示されている。【００１７】図４は本発明の実施例における上蓋の１つの側面より解放された端部辺２９が、箱体の側面辺３と糊代辺１を外折り線を介して外側に折り、形成された側面部３Ａの上端に接触している説明図である。上蓋の天面１９Ｂを下方方向に手で押すと下降し、上蓋の端部辺２９が箱体の側面部３Ａの上端と嵌合する時音が伝わり、箱体の糊代辺１を接圧しながら押圧され留まる。その確認後に上蓋の天面１９Ｂを下方方向に押すと簡単に閉まる。【００１８】箱体の組み立て作成にはまず箱体の側面部５Ａと側面部８Ａを下記の様に折り曲げ形成する。箱体の側面部５Ａは箱体の底面７と側面辺５との内折れ線を介して内側に折り側面辺５と糊代辺６の外折れ線を介して外側に折り形成する。【００１９】箱体の側面部８Ａは箱体の底面７と側面辺８との内折れ線を介して内側に折り、糊代辺９と側面辺８の外折れ線を介して外側に折り形成する。【００２０】箱体の側面部３Ａを下記の様に折り曲げ形成する。
箱体の底面７と側面辺３との内折れ線を介して内側に折り、側面辺５より延びた舌状片２を側面辺３と糊代辺１の外折れ線を介して外側に折り、接着する際に挟み込む。箱体の底面７と側面辺３との内折れ線を介して内側に折り、側面辺８より延びた舌状片４を側面辺３と糊代辺１との外折れ線を介して外側に折り、接着する際に挟み込む。
舌状片２と舌状片４は側面辺３と糊代片１を接着する際に同時に挟み込んで、側面部３Ａを形成する。【００２１】箱体の後方に位置する側面部１１Ａを下記の様に折り曲げ接着する。箱体の底面７と側面辺１１との内折れ線を介して内側に折り、側面辺５より延びた舌状片１０を側面辺１１と糊代片１３との外折れ線を介して外側に折り、接着する際に挟み込む。
箱体の底面７と側面辺１１との内折れ線を介して内側に折り、側面辺８より延びた舌状片１２を側面辺１１と糊代片１３との外折れ線を介して外側に折り、接着する際に挟み込む。舌状片１０と舌状片１２は側面辺１１と糊代辺１３とを接着する際に同時に挟み込んで側面部１１Ａを形成する。【００２２】次に箱体と上蓋とを継ぐ部分を作成する。上蓋の側面の一部が箱体の糊代辺１３に継っている上蓋の側面辺１４を、箱体の糊代辺１３と上蓋の側面辺１４の内折れ線を介して内側に折り、箱体の糊代辺１３と上蓋の側面辺１４を接着して箱体と上蓋を継ぐ。【００２３】上蓋の側面辺１４と側面辺１５の外折れ線を介して外側に折り、側面辺１５に継ぐ。
側面辺１５と上蓋の天面１９の内折れ線を介して上蓋を箱体に被せる。【００２４】箱体と上蓋を継いだ後に上蓋を作成する。
上蓋の天面１９Ｂには前方に開口した空気孔がある。【００２５】次に側面部１６Ａを作成する。
上蓋の天面１９と側面辺１６との内折れ線を介して内側に折り、側面辺１６と糊代辺１７の外折れ線を介して外側に折り、側面辺１６と糊代辺１７を接着し糊代辺１７より延びた延出側面辺１８を糊代辺１７に接着し、側面部１６Ａは重複側面となる。【００２６】次に側面部２０Ａを作成する。
上蓋の天面１９と側面辺２０との内折れ線を介して内側に折り、側面辺２０と糊代辺２１との外折れ線を介して外側に折り、側面辺２０と糊代辺２１を接着し、糊代辺２１より延びた延出側面辺２２を糊代辺２１に接着し、側面部２０Ａは重複側面となる。【００２７】上蓋の天面１９と側面辺２５を内折れ線を介して内側に折り、側面辺１６より延びた舌状片２４を、側面辺２５と糊代辺２７の外折れ線を介して外側に折り、接着する際に挟み込む。
上蓋の天面１９と側面辺２５を内折れ線を介して内側に折り、側面辺２０より延びた舌状片２６を、側面辺２５と糊代辺２７の外折れ線を介して外側に折り、接着する際に挟み込む。舌状片２４と舌状片２６は側面辺２５と糊代辺２７を接着する際、同時に挟み込んで側面部２５Ａを形成する。【００２８】糊代片２７より延びた延出側面辺２８と糊代辺２７との内折れ線を介して内側に折り、延出側面辺２８は糊代辺２７に接着して、側面部２５Ａは重複側面となる。【００２９】延出側面辺２８より延びている  端部辺２９は、延出側面辺２８と端部辺２９の内折れ線を介して、図２  図３  図４の説明図で示されている様に、延出側面辺２８の上端を被り、更に側面部２５Ａの上端をも被り、上蓋の天面１９に接続する側面辺２５の下端に向けて、内折りされる。前記端部辺２９は前記上蓋の天面１９に接続する側面辺２５に固定されないままに、前記上蓋の天面１９に向いている。尚端部辺２９の形状は左右の端より下端の内側に向けて傾斜をしている。【００３０】前記端部辺２９は上蓋の留めとなり、上蓋が箱体と嵌合する時、図４の説明図で示されているように、前記端部辺２９は箱体の側面部３Ａの上端に接して音を発し、側面部３Ａの糊代辺１上を接圧し、押圧されながら留まる。そして上蓋の天面を手で下方方向に押すと簡単に閉まる。【００３１】以上が本発明の収納箱の実施例であり、付箋収納箱の作成方法の説明である。
【符号の説明】
【００３２】  １      糊代辺
２      舌状片
３      側面辺
３Ａ    側面部
４      舌状片
５      側面辺
５Ａ    側面部
６      糊代辺
７      箱体の底面
８      側面辺
８Ａ    側面部
９      糊代辺
１０      舌状片
１１      側面辺
１１Ａ    側面部
１２      舌状片
１３      糊代辺
１４      側面辺
１５      側面辺
１６      側面辺
１６Ａ    側面部
１７      糊代辺
１８      延出側面辺
１９      上蓋の天面
１９Ｂ    上蓋の天面
２０      側面辺
２０Ａ    側面部
２１      糊代片
２２      延出側面辺
２３      空気孔
２４      舌状片
２５      側面辺
２５Ａ    側面部
２６      舌状片
２７      糊代辺
２８      延出側面辺
２９      端部辺
ａ      内折れ線
ｂ      外折れ線
【図１】
2019151398.tif 000004
【図２】
2019151398.tif 000005
【図３】
2019151398.tif 000006
【図４】
2019151398.tif 000007
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
四角形状の底部を備えた箱体に上蓋を被せる収納箱であって、前記上蓋は天面に接続された四つの側面を有し、一側面は、当該一側面が延出されて前記上蓋の外側に向けて複数回折り畳みされた端部に、当該一側面から解放された端部片を備え、前記一側面の端部片は前記上蓋を前記箱体に嵌合させた時、前記端部片が内折りされて対応する前記箱体の側面上を接圧しながら押圧され嵌着される事を特徴とする収納箱。
【請求項２】
前記上蓋の天面には一部開口された空気孔を有し、前記上蓋を閉じた時に前記収納箱の内部の空気を外部に逃がす事を特徴とする請求項１記載の収納箱。
【手続補正２】
【補正対象書類名】明細書
【補正対象項目名】全文
【補正方法】変更
【補正の内容】
【発明の詳細な説明】
【技術分野】
【０００１】本発明は四角形の底部を備えた箱体に上蓋を被せ使用する収納箱である。
【背景技術】
【０００２】特許文献では、所定の展開形状の板材を折り曲げて直方体の収納箱に付箋集合体を収納し、付箋を連続的に一枚ずつ取り出す技術が開示されている。
【先行技術文献】
【特許文献】
【０００３】
【特許文献１】実用新案登録第３１０３３５０号公報
【発明の概要】
【発明が解決しようとする課題】
【０００４】前述のような収納箱に内容物を収納し上蓋をする際には、一度被せた蓋が開かないように留め金等を使用し上蓋を留めるが、留め金の部品コストがかかってくる。それに伴い収容物が多大になる場合は上蓋が浮き上がらない様に押さえ込む等が必要であった。
【課題を解決するための手段】
【０００５】本発明は四角形状の底部を備えた箱体に上蓋を被せる収納箱であって、上蓋は天面に接続された四つの側面を有し、一側面は、当該一側面が延出されて前記上蓋の外側に向けて複数回折り畳みされた端部に、当該一側面から解放された端部片を備え、前記一側面の端部片は前記上蓋を箱体に嵌合させた時に、前記端部片が内折りされて対応する前記箱体の側面上を接圧しながら押圧され嵌着される。【０００７】またさらに上蓋の天面には一部開口された空気孔を有し空気が通り、上蓋が簡単に開閉出来る様になっている。
【発明の効果】
【０００８】上蓋を前記箱体に嵌合させた時に、上蓋の端部片が前記対応した側面上を接圧しながら押圧され嵌着するので簡単に蓋が開かない。【０００９】そして前記上蓋の四つの側面が延出された延出部が複数回折り畳みされており、この様に畳まれた側面片を有しているので重複側面として強化されている。従ってこの様に上記箱体を被り上蓋の天面を堅固に保持している。【００１０】また前記上蓋の前記天面上に空気孔を設け、開口することにより、空気が通り、前記箱体と前記上蓋が嵌合する時に発せられた音が伝わるので開閉が確実に行える。
【図面の簡単な説明】
【００１１】
【図１】本発明の収納箱に係わる使用時の実施例を示す全体の展開図である。
【図２】実施例における付箋束を収納した説明図である。
【図３】実施例における上蓋が下降する時の説明図である。
【図４】実施例における上蓋の１つの側面より解放された端部片２９が箱体の側面部３Ａの上端に接触している説明図である。
【発明を実施するための形態】
【実施例】
【００１２】以下本発明の実施例を図面を参照しながら説明する。【００１３】本発明の実施例は四角形状の箱体とその底の形状に対応した上蓋があり、上蓋の一部が箱体の側面に継っている糊代を備えている。箱と上蓋が一体型となっている箱に付箋束を収納する付箋箱である。【００１４】図１は本発明の収納箱に係わる実施例を示す収納箱の組み
2019151398.tif 000008
折れ線ａであり内折れ線を介して内側に折る事の説明であり、
2019151398.tif 000009
て外側に折る事の説明である。【００１５】図２は本発明の実施例における付箋束を収納した説明図であり、付箋収納箱は四角形状の箱体と箱体に継がる上蓋から形成されていて、同図は上蓋を開けた形状が示されている。上蓋には空気孔２３が開口されていて、延出側面片２８より延びた端部片２９が示されている。【００１６】図３は本発明の実施例における上蓋が下降する時の説明図である。付箋束を除いた箱体と前記上蓋の天面には一部開口された空気孔を有し、側面部２５Ａと延出側面片２８が折り畳まれて接続された後、延出側面片２８より延出された端部片２９が延出側面片２８と側面部３Ａの上端に被さり、側面片２５の下端に向かって内側に折られ解放されている所が示されている。【００１７】図４は本発明の実施例における上蓋の一つの側面より解放された端部片２９が、箱体の側面片３と糊代片１を外折り線を介して外側に折り形成された側面部３Ａの上端に接触している説明図である。上蓋の天面１９Ｂを下方方向に手で押すと下降し、上端の端部片２９が箱体の側面部３Ａの上端と嵌合する時音が伝わり、箱体の糊代片１を接圧しながら押圧され留まる。その確認後に上蓋の天面１９Ｂを下方方向に押すと簡単に閉まる。【００１８】箱体の組み立て作成にはまず箱体の側面部５Ａと側面部８Ａを下記のように折り曲げて形成する。箱体の側面部５Ａは箱体の底面７と側面片５との内折れ線を介して内側に折り側面片５と糊代片６の外折れ線を介して外側に折り形成する。【００１９】箱体の側面部８Ａは箱体の底面７と側面片８との内折れ線を介して内側に折り、糊代片９と側面片８の外折れ線を介して外側に折り形成する。【００２０】箱体の側面部３Ａを下記の様に折り曲げ形成する。箱体の底面７と側面片３との内折れ線を介して内側に折り、側面片５より延びた舌状片２を側面片３と糊代片１の外折れ線を介して外側に折り、接着する際に挟み込む。箱体の底面７と側面片３との内折れ線を介して内側に折り、側面片８より延びた舌状片４を側面片３と糊代片１との外折れ線を介して外側に折り、接着する際に挟み込む。舌状片２と舌状片４は側面片３と糊代片１を接着する際に同時に鋏み込んで、側面部３Ａを形成する。【００２１】箱体の後方に位置する側面部１１Ａを下記の様に折り曲げ接着する。箱体の底面７と側面片１１との内折れ線を介して内側に折り、側面片５より延びた舌状片１０を側面片１１と糊代片１３との外折れ線を介して外側に折り、接着する際に挟み込む。箱体の底面７と側面片１１との内折れ線を介して内側に折り、側面片８より延びた舌状片１２を側面片１１と糊代片１３との外折れ線を介して外側に折り、接着する際に挟み込む。舌状片１０と舌状片１２は側面片１１と糊代片１３とを接着する際に同時に挟み込んで側面部１１Ａを形成する。【００２２】次に箱体と上蓋とを継ぐ部分を作成する。上蓋の側面の一部が箱体の糊代片１３に継っている上蓋の側面片１４を、箱体の糊代片１３と上蓋の側面片１４の内折れ線を介して内側に折り、箱体の糊代片１３と上蓋の側面片１４を接着して箱体と上蓋を継ぐ。【００２３】上蓋の側面片１４と側面片１５の外折れ線を介して外側に折り、側面片１５に継ぐ。側面片１５と上蓋の天面１９の内折れ線を介して上蓋を箱体に被せる。【００２４】箱体と上蓋を継いだ後に上蓋を作成する。
上蓋の天面１９Ｂには前方に開口した空気孔がある。【００２５】次に側面部１６Ａを作成する。
上蓋の天面１９と側面片１６との内折れ線を介して内側に折り、側面片１６と糊代片１７の外折れ線を介して外側に折り、側面片１６と糊代片１７を接着し糊代片１７より延びた延出側面片１８を糊代片１７に接着し、側面部１６Ａは重複側面となる。【００２６】次に側面部２０Ａを作成する。
上蓋の天面１９と側面片２０との内折れ線を介して内側に折り、側面片２０と糊代片２１との外折れ線を介して外側に折り、側面片２０と糊代片２１を接着し、糊代片２１より延びた延出側面片２２を糊代片２１に接着し、側面部２０Ａは重複側面となる。【００２７】上蓋の天面１９と側面片２５を内折れ線を介して内側に折り、側面片１６より延びた舌状片２４を、側面片２５と糊代片２７の外折れ線を介して外側に折り、接着する際に挟み込む。
上蓋の天面１９と側面片２５を内折れ線を介して内側に折り、側面片２０より延びた舌状片２６を、側面片２５と糊代片２７の外折れ線を介して外側に折り、接着する際に挟み込む。舌状片２４と舌状片２６は側面片２５と糊代片２７を接着する際、同時に挟み込んで側面部２５Ａを形成する。【００２８】糊代片２７より延びた延出側面片２８と糊代片２７との内折れ線を介して内側に折り、延出側面片２８は糊代片２７に接着して、側面部２５Ａは重複側面となる。【００２９】延出側面片２８より延びている端部片２９は、延出側面片２８と端部片２９の内折れ線を介して、図２  図３  図４の説明図で示されている様に、延出側面片２８の上端を被り、更に側面部２５Ａの上端をも被り、上蓋の天面１９に接続する側面片２５の下端に向けて、内折りされる。前記端部辺２９は前記上蓋の天面１９に接続する側面片２５に固定されないままに、前記上蓋の天面１９に向いている。尚端部片２９の形状は左右の端より下端の内側に向けて傾斜している。【００３０】前記端部片２９は上蓋の留めとなり、上蓋が箱体と嵌合する時、図４の説明図で示されているように、前記端部片２９は箱体の側面部３Ａの上端に接して音を発し、側面部３Ａの糊代片１を接圧し、押圧されながら留まる。そして上蓋の天面を手で下方方向に押すと簡単に閉まる。【００３１】以上が本発明の収納箱の実施例であり、付箋収納箱の作成方法の説明である。
【符号の説明】
【００３２】１        糊代片
２        舌状片
３        側面片
３Ａ      側面部
４        舌状片
５        側面片
５Ａ      側面部
６        糊代片
７        箱体の底面
８        側面片
８Ａ      側面部
９        糊代片
１０      舌状片
１１      側面片
１１Ａ    側面部
１２      舌状片
１３      糊代片
１４      側面片
１５      側面片
１６      側面片
１６Ａ    側面部
１７      糊代片
１８      延出側面片
１９      上蓋の天面
１９Ｂ    上蓋の天面
２０      側面片
２０Ａ    側面部
２１      糊代片
２２      延出側面片
２３      空気孔
２４      舌状片
２５      側面片
２５Ａ    側面部
２６      舌状片
２７      糊代片
２８      延出側面片
２９      端部片
ａ      内折れ線
ｂ      外折れ線